(57)【要約】      （修正有）【課題】ユーザを識別し、双方向コミュニケーションが可能な受付装置を提供する。【解決手段】人型枠体と、ユーザ識別装置を備える。ユーザ識別装置は、人型枠体に備えたカメラが撮像した対象ユーザの顔情報から対象情報を識別し、顔情報記憶手段と、データ取得手段とを備える。顔情報記憶手段は、人型枠体のカメラが撮像した対象ユーザの顔情報と、当該対象ユーザの名前情報とを関連付けて記憶する。データ取得手段は、人型枠体のカメラが撮像した対象ユーザの顔情報を取得し、取得した顔情報と一致する顔情報に対応するユーザの名前情報を検索する。そして、データ取得手段が検索したユーザの名前情報を人型枠体に備えたスピーカより音声として流す。【選択図】図１
0003163373.tif 000002
【実用新案登録請求の範囲】
【請求項１】
少なくとも、カメラ、モニタ、スピーカとを備えた人型枠体と、
前記人型枠体のカメラが撮像した対象ユーザの顔情報から対象情報を識別するユーザ識別装置とを備え、
前記ユーザ識別装置が、
前記人型枠体のカメラが撮像した対象ユーザの顔情報と、当該対象ユーザの名前情報とを関連付けて記憶する顔情報記憶手段と、
前記人型枠体のカメラが撮像した対象ユーザの顔情報を取得し、取得した顔情報と一致する顔情報に対応するユーザの名前情報を検索するデータ取得手段と
前記データ取得手段が検索したユーザの前記名前情報を前記人型枠体に備えたスピーカより音声として流すことを特徴とする受付装置。
【請求項２】
前記人形枠体に備えたカメラが、丸みを帯びた透光性カバーで被覆される請求項１に記載の受付装置。
【請求項３】
前記人型枠体に、前記対象ユーザの指紋情報を撮像可能な指紋取得手段を備え、
前記顔情報記憶手段が、前記指紋情報と、前記対象ユーザの名前情報とを関連付けて記憶し、
前記データ取得手段が、前記指紋取得手段が撮像した指紋情報を取得し、取得した指紋情報と一致するユーザの名前情報を検索する、請求項１または２に記載の受付装置。
【考案の詳細な説明】
【技術分野】
【０００１】
本考案は、遊具施設等に設置される受付装置に関する。
【背景技術】
【０００２】
従来、集客目的のための人形（人型のものであってもよいし、動物を模した人形であってもよい。以下同じ。）が、店頭に並んでいることが多い。例えば、下記特許文献１には、集客目的のための挨拶人形が開示されている。
【先行技術文献】
【特許文献】
【０００３】
【特許文献１】登録実用新案第３１６０３３０号公報
【考案の概要】
【考案が解決しようとする課題】
【０００４】
以下、店舗等の店前に設置された人形を店頭人形と称する。従来、上記店頭人形は、一方的に挨拶をするような機構であった。会話等の双方向のコミュニケーションが可能な人形を構成するためには、複雑な機構が必要であり、販売促進のためにそのような複雑な機構の店頭人形を設置することには設置者にとっても負担が大きかった。しかしながら、例えば、挨拶のみを何回も繰り返すような店頭人形では、客の興味を持続することが困難であるので、双方向のコミュニケーションのできる簡単な構成の店頭人形の要請が高い。本考案の目的は、簡単な構成で、双方向のコミュニケーションが可能な店頭人形（本考案の受付装置に相当する）を提供することにある。
【課題を解決するための手段】
【０００５】
上記課題を達成するための本考案は、人型枠体と、ユーザ識別装置を備える。上記人型枠体は、少なくとも、カメラ、モニタ、スピーカとを備える。そして、ユーザ識別装置は、人型枠体のカメラが撮像した対象ユーザの顔情報から対象情報を識別する。当該ユーザ識別装置は、顔情報記憶手段と、データ取得手段とを備える。顔情報記憶手段は、人型枠体のカメラが撮像した対象ユーザの顔情報と、当該対象ユーザの名前情報とを関連付けて記憶する。データ取得手段は、人型枠体のカメラが撮像した対象ユーザの顔情報を取得し、取得した顔情報と一致する顔情報に対応するユーザの名前情報を検索する。そして、データ取得手段が検索したユーザの名前情報を人型枠体に備えたスピーカより音声として流すことを特徴とする。
【０００６】
上記の構成であると、人型枠体に備えたカメラにより、対象ユーザの顔情報が撮像される。そして、顔情報記憶手段に顔情報と、ユーザの名前情報を関連付けて記憶させることで、記憶された顔情報に対応するユーザの名前を検索することが可能となる。これにより、人型枠体に備えたスピーカから、対象ユーザの名前を音声として発することができ、双方向のコミュニケーションが可能となる。なお、上記人型枠体は動物や架空の生物を模した形状を含むことはいうまでもない。
【０００７】
上記の構成に於いて、人形枠体に備えたカメラが、丸みを帯びた透光性カバーで被覆される構成を採用することで、対象ユーザが人型枠体に近づきやすくなり、より正確な顔情報を取得することが可能となる。
【０００８】
上記の構成に於いて、人型枠体に、対象ユーザの指紋情報を撮像可能な指紋取得手段を備える構成を採用することができる。この場合、顔情報記憶手段が、指紋情報と、対象ユーザの名前情報とを関連付けて記憶する。そして、データ取得手段が、指紋取得手段が撮像した指紋情報を取得し、取得した指紋情報と一致するユーザの名前情報を検索することになる。例えば、人型枠体の手の部分に指紋取得手段を備える構成を採用することで、人型枠体と握手すると、対象ユーザの指紋を撮像可能となる。
【考案の効果】
【０００９】
本考案は、人型枠体と、ユーザ識別装置を備える。上記人型枠体は、少なくとも、カメラ、モニタ、スピーカとを備える。そして、ユーザ識別装置は、人型枠体のカメラが撮像した対象ユーザの顔情報から対象情報を識別する。当該ユーザ識別装置は、顔情報記憶手段と、データ取得手段とを備える。顔情報記憶手段は、人型枠体のカメラが撮像した対象ユーザの顔情報と、当該対象ユーザの名前情報とを関連付けて記憶する。データ取得手段は、人型枠体のカメラが撮像した対象ユーザの顔情報を取得し、取得した顔情報と一致する顔情報に対応するユーザの名前情報を検索する。そして、データ取得手段が検索したユーザの名前情報を人型枠体に備えたスピーカより音声として流すことを特徴とする。
【００１０】
上記の構成であると、人型枠体に備えたカメラにより、対象ユーザの顔情報が撮像される。そして、顔情報記憶手段に顔情報と、ユーザの名前情報を関連付けて記憶させることで、記憶された顔情報に対応するユーザの名前を検索することが可能となる。これにより、人型枠体に備えたスピーカから、対象ユーザの名前を音声として発することができ、双方向のコミュニケーションが可能となる。
【図面の簡単な説明】
【００１１】
【図１】本考案の実施形態に係る受付装置の全体構成を示す機能ブロック図である。
【図２】本考案の実施形態に係る受付装置に備える人型枠体の例を示す図である。
【図３】本考案の実施形態に係る受付装置の制御系ハードウェアの構成を示す図である。
【図４】本考案の実施形態に係る受付装置の制御系ハードウェアの構成を示す図である。
【図５】本考案の実施形態に係る受付装置の処理を示すフローチャートである。
【図６】記憶手段機に格納されるテーブルの一例である。
【考案を実施するための形態】
【００１２】
以下に、本考案の受付装置１００について図面を参照して説明する。図１は、本考案の受付装置１００の全体構成を示す機能ブロック図である。ただし、本考案に直接には関係しない各部の詳細は省略している。すなわち、図１に示すように、本考案の受付装置１００は、少なくともカメラ１１１、モニタ１１７、スピーカ１１３を備えた表示受付手段１１０と、ユーザ識別装置１２０とを備える。
【００１３】
図２に示すように、上記表示受付手段１１０は、人型の枠体内に、上記カメラ１１１、モニタ１１７、スピーカ１１３を備えた構成を採用することができる。本実施例では成人用（保護者用）２００Ａと、子供用２００Ｂの人型枠体を形成し、当該人型枠体２００の胸部分にモニタ１１７を備える。そして、成人用人型枠体２００Ａについては、当該人型枠体２００Ａから所定距離の位置に立つ成人女性の顔を撮像可能なように、カメラ１１１の位置を調節する。顔の位置は、成人女性の平均身長から推測することができる。子供用の人型枠体２００Ｂについても同様である。なお上記人型枠体２００は、公知の方法によって形成される。例えば、プラスチック等を射出成型することで形成することができる。
【００１４】
次に、図３を用いて、受付装置１００の制御系ハードウェアの構成を説明する。図３は、受付装置１００の制御系ハードウェアの概略構成である。ただし、本考案に直接には関係しない各部の詳細は省略している。
【００１５】
まず、受付装置１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５（通信インターフェースを含んでもよい。）を内部バス３０６によって接続している。上記ＣＰＵ３０１は、例えば、ＲＡＭ３０３を作業領域として利用し、上記ＲＯＭ３０２、ＨＤＤ３０４等に記憶されているプログラムを実行し、当該実行結果に基づいて上記ドライバ３０５と装置本体１００からのデータ、指示を授受し、上記図１、２に示した受付装置１００の動作を制御する。図４に示すように、通信インターフェース（通信Ｉ/Ｆ３０７）によりサーバ１６０とネットワーク１５０を介して接続し、サーバ１６０に記憶された情報（例えば後述の顔情報）を参照する構成を採用しても構わない。
【００１６】
＜受付装置の動作＞
次に図１及び、図５、図６を参照しながら、本考案に係る受付装置１００の処理について説明する。上記のように、図１は本考案に係る受付装置１００の機能ブロック図である。図５は、本考案に係る受付装置１００が行う処理を示すためのフローチャートである。なお、フローチャートにおける数字の前に付されたアルファベット「Ｓ」はステップを意味する。更に、図６は、後述の顔情報記憶手段１２７が記憶する顔情報のデータテーブルを示している。以下、一例として遊具施設に、本考案の受付装置１００が設置されるとして、説明する。なお、本考案の受付装置１００は、上記遊具施設の他、公園等の施設や、事務所に設置することができる。その際、設置される施設に応じて、人型枠体２００の形状、デザインを変更することが望ましい。
【００１７】
まず、上記人型枠体２００に備えたカメラ１１１が人の顔を撮像可能な状態で待機している（図５：Ｓ１０１→ＮＯ）。例えば、上記人型枠体２００から所定距離に位置に近づいた人（以下対象ユーザと称す）の顔を撮像可能なような位置に当該カメラ１１１を設置する。対象ユーザが近づき、当該カメラ１１１が対象ユーザの顔を撮像すると、撮像された顔情報がデータ送受信手段１１９を介してユーザ識別装置１２０に送信される。撮像された顔情報がモニタ１１７に映写される構成を備えてもよい。本実施例では、カメラ１１１により撮像された顔情報を制御手段１１５がモニタ１１７に映写させる構成を採用する。
【００１８】
上記のように、顔情報が送信されると、ユーザ識別装置側データ送受信手段１２１を介して、データ取得手段１２３が上記顔情報を取得する（図５：Ｓ１０１→Ｓ１０２）。そして、データ取得手段１２３は、顔情報記憶手段１２７の顔情報を参照することで、取得した顔情報と一致するユーザを取得する。
【００１９】
図６（Ａ）は、顔情報記憶手段１２７に格納された顔情報テーブル６００の例である。上記顔情報テーブル６００には、ユーザから取得した顔情報の識別番号を示す顔情報識別番号６１３と、ユーザ識別番号であるユーザＩＤ６１１及び、当該ユーザの名前や愛称を示す名前情報６１５が関連付けられて格納されている。更に、図６（Ｂ）に示すように、顔情報識別番号に対応する顔情報（検索顔画像）６２１と、当該顔情報識別番号６１３が関連付けて記憶されていることは言うまでもない。データ取得手段１２３は、取得した顔情報に対応する検索顔画像に関連付けられた顔情報識別番号６１３を取得し、当該顔情報識別番号６１３に対応するユーザの名前情報６１５を取得することになる。
【００２０】
上記のように、データ取得手段１２３が、顔情報記憶手段１２７を参照することで、対応する顔情報に対応するユーザの名前情報６１５が検索された場合、ユーザ識別装置側データ送受信手段１２１を介して、当該名前情報６１５が表示受付手段１１０に送信される。そして、表示受付手段１１０に備えた制御手段１１５が、当該名前情報６１５を取得すると、名前情報６１５内の名前若しくは愛称がスピーカ１１３により音声として流れ、処理が終了する（図５：Ｓ１０３ＹＥＳ→Ｓ１０４→ＥＮＤ）。
【００２１】
一方、データ取得手段１２３が、顔情報記憶手段１２７を参照した結果、対応する顔情報に対応するユーザの名前情報６１５が検索されない場合、登録手段１２５は、新規登録として、上記対象ユーザの顔情報を登録するか否かを判断する（図５：Ｓ１０３ＮＯ→Ｓ１０５）。例えば、登録手段１２５は、表示受付手段１１０に備えたスピーカ１１３及び、モニタ１１７にユーザの名前を尋ねる旨の音声や文字情報を表示する構成を採用することができる。なお、新規登録の場合のための新規登録ボタンを設け、ユーザが当該新規登録ボタンを押下することで、新規登録手続きが実行される構成を採用しても構わない。
【００２２】
新規登録の場合、上記登録手段１２５が新規登録手続きを実行することになる（図５：Ｓ１０６）。例えば、対象ユーザの名前等が入力されると、入力された名前等を名前情報として、顔情報に関連付けられて上記顔情報記憶手段１２７に記憶させる構成が採用できる。当該入力は対象ユーザが実行してもよいし、本考案の受付装置１００を設置する側の管理者が実行しても構わない。なお、対象ユーザの名前が入力されない等、新規登録がなされない場合には、処理は終了する（図５：Ｓ１０５ＮＯ→ＳＴＡＲＴ）。
【００２３】
（その他）
データ取得手段１２３が、対象ユーザの検索顔情報を誤って検索した場合、再度検索する構成を採用しても構わない。例えば、モニタ１１７等に再検索のボタンを設け、当該再検索ボタンを押下することで、対象ユーザの顔情報を再取得し、再度顔情報記憶手段１２７から検索する構成を採用することができる。
【産業上の利用可能性】
【００２４】
本考案は、人型枠体と、ユーザ識別装置を備える。上記人型枠体は、少なくとも、カメラ、モニタ、スピーカとを備える。そして、ユーザ識別装置は、人型枠体のカメラが撮像した対象ユーザの顔情報から対象情報を識別する。当該ユーザ識別装置は、顔情報記憶手段と、データ取得手段とを備える。顔情報記憶手段は、人型枠体のカメラが撮像した対象ユーザの顔情報と、当該対象ユーザの名前情報とを関連付けて記憶する。データ取得手段は、人型枠体のカメラが撮像した対象ユーザの顔情報を取得し、取得した顔情報と一致する顔情報に対応するユーザの名前情報を検索する。そして、データ取得手段が検索したユーザの名前情報を人型枠体に備えたスピーカより音声として流すことを特徴とする。
上記の構成であると、人型枠体に備えたカメラにより、対象ユーザの顔情報が撮像される。そして、顔情報記憶手段に顔情報と、ユーザの名前情報を関連付けて記憶させることで、記憶された顔情報に対応するユーザの名前を検索することが可能となる。これにより、人型枠体に備えたスピーカから、対象ユーザの名前を音声として発することができ、双方向のコミュニケーションが可能となり、その産業上の利用可能性は大きい。
【符号の説明】
【００２５】
１００  受付装置
１１１  カメラ
１１３  スピーカ
１１５  制御手段
１１７  モニタ
１１９  データ送受信手段
１２０  ユーザ識別装置
１２１  ユーザ識別装置側データ送受信手段
１２３  データ取得手段
１２５  登録手段
１２７  顔情報記憶手段
２００  人型枠体
２１０  指紋取得手段
６００  顔情報テーブル
【図１】
0003163373.tif 000003
【図２】
0003163373.tif 000004
【図３】
0003163373.tif 000005
【図４】
0003163373.tif 000006
【図５】
0003163373.tif 000007
【図６】
0003163373.tif 000008